(57)【要約】【課題】リアスピーカの低音域の出力特性を向上した「車載用スピーカシステム及びオーディオシステム」を提供する。【解決手段】オーディオ装置１からオーディオ信号がボイスコイル２０５に印加されると、磁気回路２２０から発生する磁束と、ボイスコイル２０５を流れるオーディオ信号との電磁作用によって、オーディオ信号の振幅に応じて、ボイスコイルボビン２０４が連結されている振動板２０８と共に振動し、オーディオ信号に応じた音が発生する。フロントスピーカ２(ａ１）と、リアスピーカ３（ｂ１）とは、ほぼ同様の構成を備えているが、リアスピーカ３（ｂ２）のボイスコイル２０５の巻数と巻幅ChRは、フロントスピーカ２(ａ２）のボイスコイル２０５の巻数と巻幅Chfの２倍とする。【選択図】図３
2019114838.tif 000002
【特許請求の範囲】
【請求項１】
自動車の車室の左右のパネルにそれぞれ配置されるフロントスピーカと、前記フロントスピーカより後方の位置において自動車の車室の左右のパネルにそれぞれ配置されるリアスピーカとを備えた車載用スピーカシステムであって、
前記フロントスピーカとリアスピーカとは、
振動板と、
磁束を発生する磁気回路と、
前記振動板が連結された、前記磁気回路に対して移動可能に設けられたボイスコイルボビンと、
前記ボイスコイルボビンの外周に巻き回された形態で、前記磁気回路が発生した磁束が通過する位置に配置された、オーディオ信号が印加されるボイスコイルとをそれぞれ有し、
前記リアスピーカのボイスコイルの巻き幅は、前記フロントスピーカのボイスコイルの巻き幅よりも大きいことを特徴とする車載用スピーカシステム。
【請求項２】
請求項１記載の車載用スピーカシステムであって、
前記リアスピーカの前記ボイスコイルの巻き数は、前記フロントスピーカの前記ボイスコイルの巻き数よりも多いことを特徴とする車載用スピーカシステム。
【請求項３】
請求項１記載の車載用スピーカシステムであって、
前記リアスピーカの前記ボイスコイルの電線の径は、前記フロントスピーカの前記ボイスコイルの線の径よりも大きいことを特徴とする車載用スピーカシステム。
【請求項４】
請求項１記載の車載用スピーカシステムであって、
前記フロントスピーカの前記ボイスコイルは単一のコイルより形成され、前記リアスピーカの前記ボイスコイルは複数の並列接続したコイルを前記ボイスコイルボビンの外周に積層して巻き回して形成されていることを特徴とする車載用スピーカシステム。
【請求項５】
請求項１、２、３または４記載の車載用スピーカシステムであって、
前記フロントスピーカの前記ボイスコイルボビンは当該フロントスピーカの前後方向に前記磁気回路に対して移動可能に設けられており、
前記フロントスピーカの前記ボイスコイルボビンは当該フロントスピーカの前後方向に前記磁気回路に対して移動可能に設けられており、
前記リアスピーカの前記振動板の前後方向のサイズは前記フロントスピーカの前記振動板の前後方向のサイズよりも小さく、
前記リアスピーカの前記ボイスコイルボビンの前後方向の移動可能範囲は、前記フロントスピーカの前記ボイスコイルボビンの前後方向の移動可能範囲よりも大きいことを特徴とする車載用スピーカシステム。
【請求項６】
請求項１、２、３、４または５記載の車載用スピーカシステムであって、
前記リアスピーカの前記振動板は、前記フロントスピーカの前記振動板よりも、重量及び剛性が大きいことを特徴とする車載用スピーカシステム。
【請求項７】
請求項１、２、３、４、５または６記載の車載用スピーカシステムであって、
前記フロントスピーカと前記リアスピーカとは、前記振動板と、磁気回路と、ボイスコイルボビンと、ボイスコイルとの全体を支持するフレームを有し、
前記フロントスピーカと前記リアスピーカの前記フレームは、前記自動車のパネルに対して固定される取付部を有し、
前記リアスピーカの、前記フレームの前記取付部の後面から当該リアスピーカの後端までの前後方向のサイズは、前記フロントスピーカの前記フレームの前記取付部の後面から当該フロントスピーカの後端までの前後方向のサイズの１２０％以内のサイズであることを特徴とする車載用スピーカシステム。
【請求項８】
請求項１、２、３、４、５、６または７記載の車載用スピーカシステムであって、
前記リアスピーカの左右方向のサイズは、前記フロントスピーカの左右方向のサイズの１２０％以内のサイズであることを特徴とする車載用スピーカシステム。
【請求項９】
請求項１、２、３、４、５、６、７または８記載の車載用スピーカシステムと、
左のパネルに配置される前記フロントスピーカに当該フロントスピーカの前記ボイスコイルに印加するオーディオ信号としてフロント左チャネル用オーディオ信号を出力し、右のパネルに配置される前記フロントスピーカに当該フロントスピーカの前記ボイスコイルに印加するオーディオ信号としてフロント右チャネル用オーディオ信号を出力し、左のパネルに配置される前記リアスピーカに当該リアスピーカの前記ボイスコイルに印加するオーディオ信号としてリア左チャネル用オーディオ信号を出力し、右のパネルに配置される前記リアスピーカに当該リアスピーカの前記ボイスコイルに印加するオーディオ信号としてリア右チャネル用オーディオ信号を出力するオーディオ装置とを有し、
前記フロント左チャネル用オーディオ信号と前記リア左チャネル用オーディオ信号の周波数特性は等しく、前記フロント右チャネル用オーディオ信号と前記リア右チャネル用オーディオ信号の周波数特性は等しいことを特徴とするオーディオシステム。
【発明の詳細な説明】
【技術分野】
【０００１】
本発明は、自動車に搭載される車載用スピーカシステムに関するものである。
【背景技術】
【０００２】
自動車に搭載される車載用スピーカシステムとしては、自動車の前席の前方の左サイドに設けられた左チャネル用フロントスピーカ２１と、自動車の前席の前方の右サイドに設けられた右チャネル用フロントスピーカと、自動車の前席の後方の左サイドに設けられた左チャネル用リアスピーカと、自動車の前席の後方の右サイドに設けられた右チャネル用リアスピーカとの４つのスピーカを備えた車載用スピーカシステムが知られている。
【０００３】
また、このような車載用スピーカシステムにおいて、オーディオ装置から出力される左チャネルのオーディオ信号を、左チャネル用フロントスピーカ２１に対しては直接出力し、左チャネル用リアスピーカに対してはローパスフィルタを介して出力し、オーディオ装置から出力される右チャネルのオーディオ信号を、右チャネル用フロントスピーカに対しては直接出力し、右チャネル用リアスピーカに対してはローパスフィルタを介して出力することにより、左チャネル用フロントスピーカと右チャネル用フロントスピーカの低音域の再生音量の不足を、左チャネル用リアスピーカと右チャネル用リアスピーカを用いて補う技術が知られている（たとえば、特許文献１）。
【０００４】
また、このような車載用スピーカシステムにおいて、スピーカの前面に、低音域の量感を増加する音響効果を与えるダクト形状のアダプタを装着する技術も知られている（たとえば、特許文献２）。
【先行技術文献】
【特許文献】
【０００５】
【特許文献１】特開２００７-２４３４３０号公報
【特許文献２】特開２００５-３１１９０８号公報
【発明の概要】
【発明が解決しようとする課題】
【０００６】
上述した、左チャネル用リアスピーカと右チャネル用リアスピーカにローパスフィルタを介してオーディオ信号を出力する技術によれば、自動車のパネルに設けられた、比較的狭いスピーカ取り付け用の空間内にローパスフィルタを設置する煩雑な作業が必要となる。
【０００７】
また、ローパスフィルタを用いても、高音域がカットされるのみであり、左チャネル用リアスピーカと右チャネル用リアスピーカの低音域の出力特性自体が向上するものではないため、低音域の量感を増加する効果も限定的である。
【０００８】
また、上述したアダプタをスピーカの前面に装着する技術によれば、自動車のパネルに設けられた一般的なスピーカ取り付け用の構造を用いて、アダプタを装着したスピーカを取り付けることはできず、特殊なパネルの構造が自動車側に必要となる。
【０００９】
そこで、本発明は、フロントスピーカとリアスピーカとを備えた車載用スピーカシステムにおいて、煩雑な作業や自動車側の特別な構造を必要とすることなく、リアスピーカの低音域の出力特性を向上することを課題とする。
【課題を解決するための手段】
【００１０】
前記課題達成のために、本発明は、自動車の車室の左右のパネルにそれぞれ配置されるフロントスピーカと、前記フロントスピーカより後方の位置において自動車の車室の左右のパネルにそれぞれ配置されるリアスピーカとを備えた車載用システムを提供する。ここで、前記フロントスピーカとリアスピーカとは、振動板と、磁束を発生する磁気回路と、前記振動板が連結された、前記磁気回路に対して移動可能に設けられたボイスコイルボビンと、前記ボイスコイルボビンの外周に巻き回された形態で、前記磁気回路が発生した磁束が通過する位置に配置された、オーディオ信号が印加されるボイスコイルとをそれぞれ備えており、前記リアスピーカのボイスコイルの巻き幅は、前記フロントスピーカのボイスコイルの巻き幅よりも大きい。
【００１１】
このような車載用スピーカシステムによれば、リアスピーカのボイスコイルの巻き幅を、フロントスピーカより大きくすることにより、低音域の出力時にボイスコイルボビンの変位に伴ってボイスコイルと磁気回路との距離が離れて振動板の駆動力が低化してしまうことが抑制されるので、フロントスピーカとリアスピーカのサイズ等のその他の諸元を同様としたまま、リアスピーカの出力する低音域の音圧を、フロントスピーカよりも大きくすることができる。また、ボイスコイルボビン、ボイスコイルボビン、振動板等のオーディオ信号に応じて振動する振動系の重量が大きくなるので、低音域の出力時に振動系の振動の継続時間が長くなって低音域の余韻が増し、リアスピーカの出力の低音域の量感を向上することができる。
【００１２】
また、フロントスピーカとリアスピーカを同様のサイズとすることができると共に、ローパスフィルタなどの他の部材を必要とすることもないので、リアスピーカを、フロントスピーカと同様に、自動車のパネルに設けられた一般的なスピーカ取り付け用の構造に対して、フロントスピーカと同様の手順で設置することができる。
【００１３】
ここで、このような車載用スピーカシステムは、前記リアスピーカの前記ボイスコイルの巻き数を、前記フロントスピーカの前記ボイスコイルの巻き数よりも多くするようにしてもよい。
【００１４】
また、以上の車載用スピーカシステムにおいて、前記リアスピーカの前記ボイスコイルの電線の径を、前記フロントスピーカの前記ボイスコイルの線の径よりも大きくするようにしてもよい。
【００１５】
このようにすることにより、リアスピーカのボイスコイルの巻き幅の増加に伴う電気抵抗の増加を抑制して、電気抵抗の増加による出力音の音圧の低下を抑制することができると共に、ボイスコイルボビン、ボイスコイルボビン、振動板等のオーディオ信号に応じて振動する振動系の重量をより大きくして、リアスピーカの出力の低音域の量感をより向上することができる。
【００１６】
また、以上の車載用スピーカシステムは、前記フロントスピーカの前記ボイスコイルを単一のコイルより形成し、前記リアスピーカの前記ボイスコイルを複数の並列接続したコイルを前記ボイスコイルボビンの外周に積層して巻き回して形成するようにしてもよい。
【００１７】
このようにすることにより、リアスピーカのボイスコイルの巻き幅の増加に伴う電気抵抗の増加を抑制して、電気抵抗の増加による出力音の音圧の低下を抑制することができると共に、ボイスコイルボビン、ボイスコイルボビン、振動板等のオーディオ信号に応じて振動する振動系の重量をより大きくして、リアスピーカの出力の低音域の量感をより向上することができる。
【００１８】
また、以上の車載用スピーカシステムは、前記フロントスピーカの前記ボイスコイルボビンが当該フロントスピーカの前後方向に前記磁気回路に対して移動可能に設けられているものであり、前記フロントスピーカの前記ボイスコイルボビンが当該フロントスピーカの前後方向に前記磁気回路に対して移動可能に設けられているものである場合には、前記リアスピーカの前記振動板の前後方向のサイズを前記フロントスピーカの前記振動板の前後方向のサイズよりも小さくし、前記リアスピーカの前記ボイスコイルボビンの前後方向の移動可能範囲を、前記フロントスピーカの前記ボイスコイルボビンの前後方向の移動可能範囲よりも大きくするようにしてもよい。
【００１９】
このようにすることにより、全体のサイズをおおよそ変更することなく、低音域の駆動力の増加に伴う、ボイスコイルボビンが振動する範囲（ストローク）の増大に対応することができる。
【００２０】
また、以上の車載用スピーカシステムは、前記リアスピーカの前記振動板を、前記フロントスピーカの前記振動板よりも、重量及び剛性が大きいものとしてもよい。
このようにすることにより、リアスピーカの出力の低音域の音質を向上することができると共に、振動系の重量をより大きくして、リアスピーカの出力の低音域の量感をより向上することができる。
【００２１】
また、以上の車載用スピーカシステムは、前記フロントスピーカと前記リアスピーカが、前記振動板と、磁気回路と、ボイスコイルボビンと、ボイスコイルとの全体を支持するフレームを有し、前記フロントスピーカと前記リアスピーカの前記フレームが、前記自動車のパネルに対して固定される取付部を有するものである場合、前記リアスピーカの、前記フレームの前記取付部の後面から当該リアスピーカの後端までの前後方向のサイズは、前記フロントスピーカの前記フレームの前記取付部の後面から当該フロントスピーカの後端までの前後方向のサイズの１２０％以内のサイズとすることが好ましい。
また、前記リアスピーカの左右方向のサイズは、前記フロントスピーカの左右方向のサイズの１２０％以内のサイズであることが好ましい。
【００２２】
このように、自動車の左右のパネル内に設置可能なサイズを備えたフロントスピーカに対して、リアスピーカのサイズを限定することにより、フロントスピーカとリアスピーカの双方を自動車の左右のパネル内に支障なく設置可能としつつ、リアスピーカのサイズ設定の融通性を確保することができる。
【００２３】
また、本発明は、併せて、以上の車載用スピーカシステムと、左のパネルに配置される前記フロントスピーカに当該フロントスピーカの前記ボイスコイルに印加するオーディオ信号としてフロント左チャネル用オーディオ信号を出力し、右のパネルに配置される前記フロントスピーカに当該フロントスピーカの前記ボイスコイルに印加するオーディオ信号としてフロント右チャネル用オーディオ信号を出力し、左のパネルに配置される前記リアスピーカに当該リアスピーカの前記ボイスコイルに印加するオーディオ信号としてリア左チャネル用オーディオ信号を出力し、右のパネルに配置される前記リアスピーカに当該リアスピーカの前記ボイスコイルに印加するオーディオ信号としてリア右チャネル用オーディオ信号を出力するオーディオ装置とを備えたオーディオシステムを提供する。ここで、前記フロント左チャネル用オーディオ信号と前記リア左チャネル用オーディオ信号の周波数特性は等しく、前記フロント右チャネル用オーディオ信号と前記リア右チャネル用オーディオ信号の周波数特性は等しい。
【００２４】
このようなオーディオシステムによれば、フロントスピーカとリアスピーカに周波数特性が等しいオーディオ信号を出力するオーディオ装置のみを用いて、サブウーファ用のアンプ装置などの特段の装置を用いることなく、量感豊かな低音再生を実現することができる。
【発明の効果】
【００２５】
以上のように、本発明によれば、フロントスピーカとリアスピーカとを備えた車載用スピーカシステムにおいて、煩雑な作業や自動車側の特別な構造を必要とすることなく、リアスピーカの低音域の出力特性を向上することができる。
【図面の簡単な説明】
【００２６】
【図１】本発明の実施形態に係るオーディオシステムの構成を示すブロック図である。
【図２】本発明の実施形態に係るフロントスピーカとリアスピーカの配置を示す図である。
【図３】本発明の実施形態に係るフロントスピーカとリアスピーカの構成を示す図である。
【図４】本発明の実施形態に係るフロントスピーカとリアスピーカの周波数特性を示す図である。
【図５】本発明の実施形態に係るリアスピーカの他の構成例を示す図である。
【図６】本発明の実施形態に係るリアスピーカの他の構成例を示す図である。
【発明を実施するための形態】
【００２７】
以下、本発明の実施形態について説明する。
図１に、本実施形態に係るオーディオシステムの構成を示す。
本実施形態に係るオーディオシステムは自動車に搭載されるシステムであり、自動車のダッシュボード内などインストラメントパネルの内部等に配置され、左のチャネルのオーディ信号Ｌと右チャネルのオーディ信号Ｒを２系統出力するオーディオ装置１を備えている。また、フロントスピーカ２として、左チャネル用フロントスピーカ２１と右チャネル用フロントスピーカ２２とを備えており、リアスピーカ３として、左チャネル用リアスピーカ３１と右チャネル用リアスピーカ３２とを備えている。
【００２８】
オーディオ装置１は、左チャネル用フロントスピーカ２１と左チャネル用リアスピーカ３１に左チャネルのオーディオ信号Ｌを出力し、右チャネル用フロントスピーカ２２と右チャネル用リアスピーカ３２に左チャネルのオーディオ信号Ｒを出力する。
【００２９】
ここで、オーディオ装置１が、左チャネル用フロントスピーカ２１と左チャネル用リアスピーカ３１に出力する左チャネルのオーディオ信号Ｌは周波数特性が等しい同じオーディオ信号であり、オーディオ装置１が、右チャネル用フロントスピーカ２２と右チャネル用リアスピーカ３２に出力する右チャネルのオーディオ信号Ｒは周波数特性が等しい同じオーディオ信号である。
なお、これとは別にモノラル信号を出力するチャンネルが１つまたは２つ設けられていることもあり、そのような場合には、１つのチャンネルを分岐して２つのリアスピーカをそれぞれ接続するか、２つのチャンネルに２つのリアスピーカをそれぞれ接続してもよい。
【００３０】
次に、図２ａ、ｂに示すように、左チャネル用フロントスピーカ２１は、自動車の左フロントドアパネル内などの、自動車の前席のシートバックより前方の車室の左サイドの位置に設置され、右チャネル用フロントスピーカ２２は、自動車の右フロントドアパネル内などの、自動車の前席のシートバックより前方の車室の右サイドの位置に設置される。
【００３１】
また、左チャネル用リアスピーカ３１は、自動車の左リアドアパネルや、左リアドアパネルの後方のパネル内などの、自動車の前席のシートバックより後方の車室の左サイドの位置に設置され、右チャネル用リアスピーカ３２は、自動車の右リアドアパネルや右リアドアパネルの後方のパネル内などの、自動車の前席のシートバックより後方の車室の右サイドの位置に設置される。なお、フロントスピーカと同径のリアスピーカをリアドアパネル等に装着することが想定されているので、リアドアパネル等に形成されたリアスピーカ用の取付孔の直径は、フロントドアパネル等に形成された取付孔の直径と同等のサイズとなっている。
【００３２】
次に、図３に、各スピーカの構成を示す。
図３ａ１は、フロントスピーカ２（左チャネル用フロントスピーカ２１と右チャネル用フロントスピーカ２２）の断面を示し、図３ｂ１はリアスピーカ３（左チャネル用リアスピーカ３１と右チャネル用リアスピーカ３２）の断面を示している。
【００３３】
図３ａ１に示すように、フロントスピーカ２は、ヨーク２０１、磁石２０２、トッププレート２０３、ボイスコイルボビン２０４、ボイスコイル２０５、フレーム２０６、ダンパ２０７、振動板２０８、エッジ２０９、ダストキャップ２１０を有する。
【００３４】
今、図３ａ１における上方をフロントスピーカ２の前方、下方をフロントスピーカ２の後方として、ヨーク２０１は、中央部に前方に突出した凸部２０１１を有し、当該凸部２０１１の外周の周りに環状の磁石２０２が設けられている。また、磁石２０２の上には、鉄等によって形成された環状のトッププレート２０３が設けられている。そして、これらヨーク２０１、磁石２０２、トッププレート２０３によって磁気回路２２０が形成される。
【００３５】
次に、ボイスコイルボビン２０４は中空の円筒形状を有し、オーディオ装置１からオーディオ信号が印加されるボイスコイル２０５が外周に巻かれている。また、ボイスコイルボビン２０４の上端は、ダストキャップ２１０で封止されている。そして、ヨーク２０１の凸部２０１１は、ボイスコイルボビン２０４の中空に後方より挿入され、ボイスコイルボビン２０４の前後方向の移動をガイドする。また、ボイスコイル２０５はヨーク２０１の凸部２０１１とトッププレート２０３との間の、磁気回路２２０によってトッププレート２０３の内周端間に発生する磁束が通過する位置に配置されている。
【００３６】
次に、フレーム２０６は、コーン形状の内周側端と外周側端にフランジを設けた形状を有し、その内周側端のフランジがトッププレート２０３の上面に固定されている。また、フレーム２０６の外周側端のフランジは環状のバッフルボード４を間に挟んだ形態で、自動車のパネルに設けられたスピーカ取り付け用の開口の周縁５に、パネル内にフロントスピーカ２のフレーム２０６の外周側端のフランジより下方の部分のおおよそが収まる形態で固定される。
【００３７】
そして、ダンパ２０７は、環状形状を有し、内周端がボイスコイルボビン２０４に固定され、外周端がフレーム２０６に固定されている。
また、振動板２０８は、コーン形状を有し、その外周側端部がエッジ２０９でフレーム２０６の前端部に連結されている。また、振動板２０８の内周側端部は、ボイスコイルボビン２０４の前端部に固定されている。
【００３８】
このようなスピーカの構成において、オーディオ装置１からオーディオ信号がボイスコイル２０５に印加されると、磁気回路２２０から発生する磁束と、ボイスコイル２０５を流れるオーディオ信号との電磁作用によって、オーディオ信号の振幅に応じて、ボイスコイルボビン２０４が前後に振動する。そして、ボイスコイルボビン２０４が振動すると、ボイスコイルボビン２０４に連結されている振動板２０８が振動し、オーディオ信号に応じた音が発生する。
【００３９】
次に、図３ｂ１に示すように、リアスピーカ３は、図３ａ１に示したフロントスピーカ２と同様の構成を備えているが、フロントスピーカ２とはボイスコイル２０５の巻数と巻幅が異なっている。
【００４０】
すなわち、図３ａ２にフロントスピーカ２のボイスコイル２０５の周辺部を拡大して示し、図３ｂ２にリアスピーカ３のボイスコイル２０５の周辺部を拡大して示すように、リアスピーカ３のボイスコイル２０５の巻数はフロントスピーカ２のボイスコイル２０５の巻数の２倍であり、リアスピーカ３のボイスコイル２０５の巻幅ChRはフロントスピーカ２のボイスコイル２０５の巻幅Chfの２倍である。
【００４１】
なお、図３ａ２、図３ｂ２は、フロントスピーカ２とリアスピーカ３とのボイスコイル２０５の相違を模式的に示すものであり、実際のボイスコイル２０５の巻き数やボイスコイル２０５の電線の径は、図示したものとは異なっている。
【００４２】
このように、リアスピーカ３のボイスコイル２０５の巻き数と巻き幅を、フロントスピーカ２の２倍とすることにより、振動の周期の長い音域である低音域の出力時にボイスコイルボビン２０４の変位に伴ってボイスコイル２０５とトッププレート２０３との距離が離れて、振動板２０８の駆動力が低化してしまうことが抑制されるので、フロントスピーカ２とリアスピーカ３のサイズ等のその他の諸元を同様としたまま、低音域の駆動力を増加し、リアスピーカ３の出力する低音域の音圧を、フロントスピーカ２よりも大きくすることができる。また、ボイスコイルボビン２０４、ボイスコイル２０５、振動板２０８等のオーディオ信号に応じて振動する振動系の重量が大きくなるので、低音域の出力時に振動系の振動の継続時間が長くなって低音域の余韻が増し、リアスピーカ３の出力の低音域の量感を向上することができる。
【００４３】
また、フロントスピーカ２とリアスピーカ３を同様のサイズとすることができると共に、ローパスフィルタなどの他の部材を必要とすることもないので、リアスピーカ３を、フロントスピーカ２と同様に、自動車のパネル５に設けられた一般的なスピーカ取り付け用の構造に対して、フロントスピーカ２と同様の手順で設置することができる。
【００４４】
ここで、図４に、他の条件をほぼ同じくして、以上のようにリアスピーカ３のボイスコイル２０５の巻き数と巻き幅をフロントスピーカ２の２倍としたときの、フロントスピーカ２とリアスピーカ３の低音域の周波数特性の例を示す。
【００４５】
図示するように、おおよそ、リアスピーカ３の８０Hz以下の低音域の出力音圧は、フロントスピーカ２の低音域の出力音圧より大きくなっており、本実施形態によれば、リアスピーカ３の低音域の出力特性を向上できることが分かる。
【００４６】
ここで、８０Hz以下の音は、人間の耳にとって無指向性に方向感なく聞こえるので、このようにリアスピーカ３のみ低音域の出力特性を向上することにより、前席のユーザに対して、フロントスピーカ２の出力音による音像の定位をおおよそ崩すことなく、より音圧の大きい低音域の音を出力することができるようになる。
【００４７】
以上、本発明の実施形態について説明した。
また、以上の実施形態では、フロントスピーカ２とリアスピーカ３とが、ボイスコイル２０５の巻き数と巻き幅以外同一であるものとして説明したが、フロントスピーカ２とリアスピーカ３とは、ボイスコイル２０５の巻き数と巻き幅以外の要素が異るものを用いるようにしてもよい。
【００４８】
ただし、フロントスピーカ２とリアスピーカ３の双方が、そのフレーム２０６の外周側端のフランジの後面より下方の部分が自動車のパネル５内に支障なく収まるように、図３ｂ１に示すリアスピーカ３の後端からフレーム２０６の外周側端のフランジの後面までの長さHrは、図３ａ１に示すフロントスピーカ２の後端からフレーム２０６の外周側端のフランジの後面までの長さHfの120％以内の長さとする。
また、リアスピーカ３の左右方向（径方向）のサイズは、前記フロントスピーカの左右方向（径方向）のサイズと同一となっている。よって、リアドアパネルに形成されたリアスピーカ用の取付孔の直径がフロントドアパネル等に形成された取付孔の直径と同一であっても支障なく取り付けを行うことができる。
【００４９】
また、以上の実施形態では、リアスピーカ３のボイスコイル２０５の巻き数と巻き幅をフロントスピーカ２の２倍としたが、必ずしも、リアスピーカ３のボイスコイル２０５の巻き数や巻き幅がフロントスピーカ２の２倍である必要はなく、リアスピーカ３のボイスコイル２０５の巻き幅がフロントスピーカ２より大きければ、リアスピーカ３の低音域の出力特性を向上することができる。
【００５０】
また、以上の実施形態では、リアスピーカ３のボイスコイル２０５の巻き数をフロントスピーカ２より多くすることにより、リアスピーカ３のボイスコイル２０５の巻き幅をフロントスピーカ２より大きくしたが、これは、リアスピーカ３のボイスコイル２０５の電線の径をフロントスピーカ２より大きくすることにより、リアスピーカ３のボイスコイル２０５の巻き幅をフロントスピーカ２より大きくするようにしてもよい。
【００５１】
すなわち、たとえば、図５ａに示すように、リアスピーカ３のボイスコイル２０５の電線の径をフロントスピーカ２の２倍とすることにより、リアスピーカ３のボイスコイル２０５の巻き幅をフロントスピーカ２の２倍としてもよい。
【００５２】
このようにすることにより、リアスピーカ３のボイスコイル２０５の巻き幅の増加に伴うボイスコイル２０５の電気抵抗の増加を抑制して、電気抵抗の増加による出力音の音圧の低下を抑制することができると共に、振動系の重量をより大きくして、リアスピーカ３の出力の低音域の量感をより向上することができる。
【００５３】
また、以上の実施形態におけるリアスピーカ３のボイスコイル２０５は、リアスピーカ３のボイスコイル２０５の巻き幅をフロントスピーカ２より大きくしたコイルを二つ並列接続し、当該二つのコイルを、ボイスコイルボビン２０４の外周に積層して設けるようにしてもよい。
【００５４】
すなわち、たとえば、図５ｂに示すように、リアスピーカ３のボイスコイル２０５として、巻き数と巻き幅をフロントスピーカ２のボイスコイル２０５の２倍とした二つのコイル２０５１、２０５２を、ボイスコイルボビン２０４の外周に積層して設けてもよい。ただし、二つのコイル２０５１、２０５２は並列接続し、オーディオ装置１からのオーディオ信号が各コイル２０５１、２０５２に並列に印加されるようにする。
【００５５】
このようにしても、リアスピーカ３のボイスコイル２０５の巻き幅の増加に伴うボイスコイル２０５の電気抵抗の増加を抑制して、電気抵抗の増加による出力音の音圧の低下を抑制することができると共に、振動系の重量をより大きくして、リアスピーカ３の出力の低音域の量感をより向上することができる。
【００５６】
また、以上の実施形態に係るリアスピーカ３は、図６ａに示すように、フロントスピーカ２よりも、フレーム２０６と振動板２０８の前後方向の長さFhを小さくし、その分、ボイスコイルボビン２０４の後端から当該後端の後方のヨーク２０１の面までの距離Yhを大きくしたものとしてもよい。
【００５７】
このようにすることにより、全体のサイズをおおよそ変更することなく、低音域の駆動力の増加に伴う、ボイスコイルボビン２０４が振動する範囲（ストローク）の増大に対応することができる。
【００５８】
また、以上の実施形態に係るリアスピーカ３は、図６ｂに示すように振動板２０８として、フロントスピーカ２の振動板２０８よりも重く、剛性の高い振動板２０８を用いるようにしてもよい。
【００５９】
このようにすることにより、リアスピーカ３の出力の低音域の音質を向上することができると共に、振動系の重量をより大きくして、リアスピーカ３の出力の低音域の量感をより向上することができる。
【符号の説明】
【００６０】
１…オーディオ装置、２…フロントスピーカ、３…リアスピーカ、４…バッフルボード、５…パネル、２１…左チャネル用フロントスピーカ、２２…右チャネル用フロントスピーカ、３１…左チャネル用リアスピーカ、３２…右チャネル用リアスピーカ、２０１…ヨーク、２０２…磁石、２０３…トッププレート、２０４…ボイスコイルボビン、２０５…ボイスコイル、２０６…フレーム、２０７…ダンパ、２０８…振動板、２０９…エッジ、２１０…ダストキャップ、２２０…磁気回路、２０１１…凸部。
【図１】
2019114838.tif 000003
【図２】
2019114838.tif 000004
【図３】
2019114838.tif 000005
【図４】
2019114838.tif 000006
【図５】
2019114838.tif 000007
【図６】
2019114838.tif 000008